(57)【要約】      （修正有）【課題】ディスペンスヘッドにおいてハンドルの回動ピンを固定するためのピン固定具について、新規な構成を提案する。【解決手段】飲料容器に取り付けて飲料を外部に取り出すためのディスペンスヘッド３のハンドル４の回動ピン２を、ハンドル４に対して着脱可能に固定するためのピン固定具１であって、ハンドル４に対する自身の角度変更を規制するための規制部を有する、ピン固定具１とする。ピン固定具１は、回動ピン２の長手方向一側に配置される第一係合部と、回動ピン２の長手方向他側に配置される第二係合部と、を有し、規制部は、第一係合部、又は／及び、第二係合部に設けられ、ハンドル４の一部に係合することで回動が規制される構成とする。【選択図】図１
2018140796.tif 000002
【特許請求の範囲】
【請求項１】
飲料容器に取り付けて飲料を外部に取り出すためのディスペンスヘッドのハンドルの回動ピンを、前記ハンドルに対して着脱可能に固定するためのピン固定具であって、
前記ハンドルに対する自身の角度変更を規制するための規制部を有する、
ピン固定具。
【請求項２】
前記回動ピンの長手方向一側に配置される第一係合部と、
前記回動ピンの長手方向他側に配置される第二係合部と、を有し、
前記規制部は、前記第一係合部、又は／及び、第二係合部に設けられ、前記ハンドルの一部に係合することで回動が規制される構成とする、
ことを特徴とする請求項１に記載のピン固定具。
【請求項３】
前記第一係合部は、
前記回動ピンを挿入するための貫通孔を有する、
ことを特徴とする請求項２に記載のピン固定具。
【請求項４】
前記第二係合部は、
前記回動ピンを挿入するための貫通孔を有する、
ことを特徴とする請求項３に記載のピン固定具。
【請求項５】
前記第二係合部の前記貫通孔は、前記回動ピンと係脱可能に嵌合される、
ことを特徴とする請求項４に記載のピン固定具。
【請求項６】
前記第二係合部の前記貫通孔は、
前記回動ピンの軸方向に移動して前記回動ピンとの係脱がなされる第一孔部と、
前記第一孔部から半径方向にずれた位置において、前記回動ピンとの係脱がなされる第二孔部と、
前記第一孔部と前記第二孔部の間で前記回動ピンを移動させるための溝部と、
を有する、
ことを特徴とする請求項５に記載のピン固定具。
【請求項７】
前記第一係合部と前記第二係合部を繋ぐ連結部を有する、
ことを特徴とする請求項１乃至請求項６のいずれか一項に記載のピン固定具。
【請求項８】
請求項１乃至請求項７のいずれか一項に記載のピン固定具と、
前記回動ピンと、
を有するピン部材。
【発明の詳細な説明】
【技術分野】
【０００１】
本発明は、樽容器などの飲料容器に取り付けて飲料を外部に取り出すためのディスペンスヘッドに関するものであり、より詳しくは、ディスペンスヘッドに設けられるハンドルの回動ピンに関するものである。
【背景技術】
【０００２】
従来、例えば、特許文献１に開示されるように、樽（タンク）容器などの飲料容器に取り付けて飲料を外部に取り出すためのディスペンスヘッドが知られている。
【０００３】
この種のディスペンスヘッドは、回動操作されるハンドルが設けられており、ハンドルを押し下げると炭酸ガス経路が飲料容器内に通じ、炭酸ガスによる飲料の押し出しがなされる構成としている。また、ディスペンスヘッドを取り外す際にハンドルが押し上げられると、炭酸ガス経路が閉鎖される構成としている。
【０００４】
このような押し下げ操作、押し上げ操作が行われるハンドルは、ディスペンスヘッド本体に対し回動ピンを介して枢結されており、ハンドルは回動ピンを軸に回動操作される。
【０００５】
また、ディスペンスヘッドは定期的にメンテナンスが必要とされるものであり、そのメンテナンスの際には、回動ピンを抜いてハンドルを本体から取り外して分解し、グリスを塗布するなどした後、再び回動ピンを用いてハンドルを本体に組み付けることが行われる。
【先行技術文献】
【特許文献】
【０００６】
【特許文献１】特許第６０１９０２７号明細書
【発明の概要】
【発明が解決しようとする課題】
【０００７】
上述したメンテナンスの際には、回動ピンの抜き差しが行われるが、メンテナンス性を考慮すると、回動ピンを抜き易い構成が好ましいといえる。
【０００８】
このようなメンテナンス性が求められる一方で、回動ピンが意図せずに抜けてしまうと予期せぬ不具合が生じる可能性がある。このため、回動ピンの抜けについては確実に防止することが求められるものである。即ち、回動ピンが抜けるとハンドルも本体から脱落してしまうことになり、仮に、炭酸ガス経路と繋がった状態でハンドルが脱落すると、高圧の炭酸ガスが勢い良く漏れるなどして、予期せぬ被害が生じる可能性があるのである。
【０００９】
本発明は、以上の課題に鑑み、ディスペンスヘッドにおいてハンドルの回動ピンを固定するためのピン固定具について、新規な構成を提案するものである。
【課題を解決するための手段】
【００１０】
本発明の解決しようとする課題は以上の如くであり、次にこの課題を解決するための手段を説明する。
【００１１】
即ち、請求項１に記載のごとく、
飲料容器に取り付けて飲料を外部に取り出すためのディスペンスヘッドのハンドルの回動ピンを、前記ハンドルに対して着脱可能に固定するためのピン固定具であって、
前記ハンドルに対する自身の角度変更を規制するための規制部を有する、ピン固定具とする。
【００１２】
また、請求項２に記載のごとく、
前記回動ピンの長手方向一側に配置される第一係合部と、
前記回動ピンの長手方向他側に配置される第二係合部と、を有し、
前記規制部は、前記第一係合部、又は／及び、第二係合部に設けられ、前記ハンドルの一部に係合することで回動が規制される構成とする。
【００１３】
また、請求項３に記載のごとく、
前記第一係合部は、
前記回動ピンを挿入するための貫通孔を有する。
【００１４】
また、請求項４に記載のごとく、
前記第二係合部は、
前記回動ピンを挿入するための貫通孔を有する。
【００１５】
また、請求項５に記載のごとく、
前記第二係合部の前記貫通孔は、前記回動ピンと係脱可能に嵌合される。
【００１６】
また、請求項６に記載のごとく、
前記第二係合部の前記貫通孔は、
前記回動ピンの軸方向に移動して前記回動ピンとの係脱がなされる第一孔部と、
前記第一孔部から半径方向にずれた位置において、前記回動ピンとの係脱がなされる第二孔部と、
前記第一孔部と前記第二孔部の間で前記回動ピンを移動させるための溝部と、
を有する。
【００１７】
また、請求項７に記載のごとく、
前記第一係合部と前記第二係合部を繋ぐ連結部を有する。
【００１８】
また、請求項８に記載のごとく、
請求項１乃至請求項７のいずれか一項に記載のピン固定具と、前記回動ピンと、を有するピン部材とする。
【発明の効果】
【００１９】
本発明によれば、ピン固定具の角度変更（回転）によって生じる回動ピンの抜けなどといった不具合の発生を防止できる新規なピン固定具を実現することができる。
【図面の簡単な説明】
【００２０】
【図１】本願発明に係るピン固定具を利用したディスペンスヘッドについて示す斜視図。
【図２】（Ａ）はピン部材の一側からの斜視図。（Ｂ）はピン部材の他側からの斜視図。（Ｃ）はピン部材の正面図。
【図３】（Ａ）は規制部の構成について示す図。（Ｂ）はピン固定具がハンドルと共に回動する様子を示す図。
【図４】（Ａ）は第二係合部のピン固定具の構成について示す図。（Ｂ）は回動ピンの形状について説明する断面図。（Ｃ）第二係合部のピン固定具の構成について示す図。
【図５】（Ａ）はピン固定具の連結部を撓ませた状態について説明する図。（Ｂ）は回動ピンの挿入について説明する図。（Ｃ）は回動ピンを第一孔部に嵌め込んだ状態について示す図。（Ｄ）は回動ピンを第二孔部に嵌め込んだ状態について示す図。
【発明を実施するための形態】
【００２１】
以下、添付図面を参照しながら本発明の容器停止装置をその例示的な実施形態を通して説明する。
図１は、本願発明に係るピン固定具１の使用状態について示す図である。ディスペンスヘッド３の本体３２にピン挿通部３４が設けられる。このピン挿通部３４とハンドル４の先端部４４が、回動ピン２を介して連結される。
【００２２】
そして、回動ピン２の意図せぬ抜けを防止するために、ピン固定具１が用いられる。メンテナンス時においては、ピン固定具１による回動ピン２のロックを解除して回動ピン２を抜き出すことで、ハンドル４と本体３２を分解できるようになっている。
【００２３】
図２（Ａ）（Ｂ）（Ｃ）は、ピン固定具１と回動ピン２から構成されるピン部材５について示すものである。
ピン固定具１は、互いに離間して配置される第一係合部１１、及び、第二係合部１２と、第一係合部１１と第二係合部１２を繋ぐ連結部１３と、を有して構成され、全体として一つの部材として構成されている。
【００２４】
ピン固定具１は、合成樹脂成形品にて構成することができ、適度に変形、撓むことによって、後述するように、回動ピン２に対する係脱が可能に構成される。
【００２５】
回動ピン２は、ステンレスなどの金属により構成することができ、同じく金属製のディスペンスヘッドの本体と、ハンドルとを枢結させるものである。なお、回動ピン２は金属製とする他、合成樹脂製としてもよい。
【００２６】
ピン固定具１の第一係合部１１には、回動ピン２の一側部分を固定するためのピン固定部１１ａが設けられる。本実施例のピン固定部１１ａは、貫通孔にて構成されており、回動ピン２の一端を圧入して挿入することで、回動ピン２がピン固定部１１ａに対し強固に固定されるようになっている。
【００２７】
また、ピン固定部１１ａが貫通孔にて構成されることで、回動ピン２が半径方向に抜けることを効果的に防ぐことができる。即ち、例えば、作業者の指が第一係合部１１に引っかかり、第一係合部１１の部分が押し上げられるような場合、仮に、Ｕ字条の切り欠きにてピン固定部１１ａが構成されると、回動ピン２がピン固定部１１ａから抜け落ちてしまうことが懸念されるが、貫通孔で構成することでこのような抜け落ちを防ぐことができる。
【００２８】
なお、ピン固定部１１ａの構成は、回動ピン２の一部を第一係合部１１に固定できる構成であれば特に限定されるものではない。つまり、第一係合部１１と回動ピン２の固定（連結）を維持できる構成であればいかなる構成も採用可能である。また、回動ピン２は第一係合部１１を突き抜けてもよく、突き抜けなくてもよい。また、回動ピン２を合成樹脂にて構成する場合には、回動ピン２とピン固定具１を一体成形とし、ピン固定部１１ａと回動ピン２とが連結されてなる構成とすることもできる。
【００２９】
第一係合部１１には、ハンドル４に対して自身の回動による角度変更を規制するための規制部１１ｂが設けられる。本実施例では、図３（Ａ）（Ｂ）に示すように、規制部１１ｂは、回動ピン２がハンドル４の貫通孔４４ａに挿入された状態において、ハンドル４の先端部４４（アーム部）の平坦な下面に当着する平坦面で構成される。なお、このような実施例で構成する他、規制部１１ｂを第二係合部１２にも設ける、或いは、規制部１１ｂを第一係合部１１の代わりに第二係合部１２に設ける、こととしてもよい。
【００３０】
このような構成により、ピン固定具１に手が触れるなどして、ピン固定具１の角度変更（回転）が生じようとする際には、規制部１１ｂがハンドル４の先端部４４（下面４４ｓ）に当接しているため、その角度変更（矢印Ｍ方向の回転（３（Ａ）））が規制される。
【００３１】
さらに、本実施例では、規制部１１ｂの上方にハンドル４の先端部４４（上面４４ｕ）に当接する第二規制部１１ｃを設けることとしている。これにより、両規制部１１ｂ，１１ｃにより、ハンドル４の先端部４４（アーム部）を挟み込むようにして、ピン固定具１の角度変更をより確実に規制することができる。なお、本実施例では、図２（Ｃ）に示すように、第二係合部１２側にも第二規制部１２ｃが設けられ、第二係合部１２側においてもハンドルとの係合が行われるようになっている。
【００３２】
以上の構成により、ハンドル４との関係において、ピン固定具１は常に規定の角度（図１の状態）で配置されることができる。仮に、ピン固定具１の角度変更（回転）が許容されてしまうと、例えば、連結部１３がハンドル４の先端部４４よりも前側に倒れるように移動して、連結部１３に指が引っかかり、これにより、ピン固定具１を引っ張り上げて回動ピン２を引き抜いてしまうことや、ピン固定具１が回動ピン２から外れる等といった不具合の発生が懸念されるが、本実施例によればこのような不具合の発生を防止することができる。
【００３３】
図２（Ａ）（Ｂ）に示すように、第二係合部１２には、回動ピン２を固定するためのピン固定部１２ａが設けられる。本実施例のピン固定部１２ａは、貫通孔にて構成されており、回動ピン２の一端が貫通孔に対して挿入される、又は、貫通孔から抜き出されるようになっている。
【００３４】
また、ピン固定部１２ａが貫通孔にて構成されることで、回動ピン２が半径方向に抜けることを効果的に防ぐことができる。即ち、例えば、作業者の指が第二係合部１２に引っかかり、第二係合部１２の部分が押し上げられるような場合、仮に、Ｕ字条の切り欠きにて第二係合部１２が構成されると、回動ピン２が第二係合部１２から抜け落ちてしまうことが懸念される。この点に関し、貫通孔で構成することでこのような抜け落ちを防ぐことができる。
【００３５】
なお、第二係合部１２の構成は、回動ピン２の一部を第二係合部１２に対し固定／固定解除できる構成であれば特に限定されるものではない。つまり、第二係合部１２と回動ピン２の固定／固定解除が繰り返し可能な構成であればいかなる構成も採用可能である。また、回動ピン２は第二係合部１２を突き抜けてもよく、突き抜けなくてもよい。
【００３６】
本実施例では、図４（Ａ）〜（Ｃ）に示すように、第二係合部１２にはピン固定部１２ａが形成される。このピン固定部１２ａは、第一孔部１４と、第二孔部１５と、第一孔部１４と第二孔部１５を連通させる溝部１６と、を有する構成としている。第一孔部１４と第二孔部１５は、互いに回動ピン２の半径方向にずれた位置に配置され、溝部１６により両者が連通されている。
【００３７】
本実施例の回動ピン２は、その端部に周方向の環状溝部２ａが形設されており、この環状溝部２ａが第一孔部１４に嵌め込まれた際には、環状溝部２ａに形成される縦壁面２ｘが第一孔部１４の周辺に突き当たり、回動ピン２の軸方向の移動が規制される。つまり、縦壁面２ｘが第一孔部１４に引っかかるようにして、回動ピン２の抜けが規制される。
【００３８】
図４（Ａ）（Ｂ）に示すように、溝部１６の幅１６ｗは、環状溝部２ａの幅２ｗよりも僅かに狭く構成され、力を加えることで、第一孔部１４（又は第二孔部１５）に進入した環状溝部２ａの部位を、溝部１６を通じて第二孔部１５（又は第一孔部１４）に移動させることができるようになっている。
【００３９】
図４（Ａ）に示すように、第二孔部１５の孔径Ｒ１５は、第一孔部１４の孔径Ｒ１４よりも小さく構成され、第二孔部１５の周囲に係合壁部１５ｘが構成される。図５（Ｃ）に示すように、第二孔部１５に回動ピン２の環状溝部２ａが位置する状態では、回動ピン２の縦壁面２ｘが係合壁部１５ｘに係合し、回動ピン２の軸方向の移動が規制される。つまり、縦壁面２ｘが係合壁部１５ｘに突き当たるようにして、回動ピン２の抜けが規制される。
【００４０】
図２（Ｃ）及び図５（Ｃ）に示すように、第二係合部１２の下部は、その下部が開く方向（第一係合部１１と反対側方向）に僅かに傾斜しており、手指によって第二係合部１２を摘み易い構成となっている。また、図４（Ｃ）に示すように、第二係合部１２の表面には、手指の腹に触れる滑り止め用の突状部１２ｂ，１２ｂが複数設けられており、摘んだ後にしっかりと保持しやすい構成となっている。
【００４１】
以上の構成において、回動ピン２を取り付ける際には、まず、図５（Ａ）に示すように第二係合部１２を持ち上げるようにして連結部１３を撓ませるとともに、回動ピン２をハンドルの先端部４４と、ディスペンスヘッドのピン挿通部３４に挿通させる。次いで、図５（Ｂ）に示すように、回動ピン２の先端の位置に第一孔部１４を合わせつつ、指で第二係合部１２を矢印Ｒの方向に押すようにして、第一孔部１４内に回動ピン２を挿入させて図５（Ｃ）の状態とする。なお、本実施例では、回動ピン２の先端部２ｂをテーパー形状とすることで挿入しやすい構成が実現される。
【００４２】
図５（Ｃ）は、第一孔部１４への挿入が完了した様子を示すものであり、この状態において、第二係合部１２の肩部１２ｋを下方向に押し下げることにより、図５（Ｄ）に示すように第二孔部１５へと回動ピン２を移動させることができる。
【００４３】
逆に、回動ピン２を第二係合部１２から外す際には、図５（Ｄ）に示す状態において第二係合部１２の先端部１２ｓを押し上げることで、回動ピン２を第二孔部１５から第一孔部１４へ移動させて図５（Ｃ）の位置に戻す。次いで、先端部１２ｓを指で摘んで矢印Ｌの方向に第二係合部１２を撓ませるように変形させることで、環状溝部２ａを第一孔部１４から抜き出して図５（Ｂ）の状態とする。
【００４４】
以上の構成において、図５（Ｄ）の状態となった後は、回動ピン２の縦壁面２ｘが係合壁部１５ｘに突き当たるため、回動ピン２の抜けが規制される。また、溝部１６の幅１６ｗは、環状溝部２ａの幅２ｗよりも僅かに狭く構成されることで、意図的に力を加えない限りは、図５（Ｂ）の状態とすることができない。このようにして、回動ピン２の抜けを防止する第一のロック機構が構成される。
【００４５】
さらに、図５（Ｃ）の状態においても、意図的に力を加えない限りは、縦壁面２ｘが第一孔部１４に引っかかるため、図５（Ｂ）の状態とすることができない。このようにして、回動ピン２の抜けを防止する第二のロック機構が構成される。
【００４６】
以上のようにして第一、第二のロック機構が構成され、回動ピン２の抜けを二段階で防止することができる。なお、図５（Ｄ）の状態において矢印Ｌの方向に力を加えたとしても、第二係合部１２の第二孔部１５の箇所の変形量（撓み量）が小さいため、第二孔部１５から回動ピン２を抜き出すことが極めて困難である。このことにより、第一のロック機構の機能がより確実なものとなる。
【００４７】
他方、図５（Ｃ）の状態において矢印Ｌの方向に力を加えた場合には、第二係合部１２の第一孔部１４の箇所の部位の変形量（撓み量）が大きいため、第一孔部１４から回動ピン２を比較的容易に抜き出すことができる。このように意図的に図５（Ｃ）の状態にした上で力を加えることによれば、回動ピン２を外すことができ、操作性に優れた構成が実現できる。
【００４８】
また、以上の一連の操作においては、図５（Ａ）に示すように、連結部１３を撓ませることで、第二係合部１２に対する回動ピン２の係合／係合解除を行いつつ、ディスペンスヘッドから回動ピン２を引き抜くことができる。そして、この場合、ピン固定具１と回動ピン２は分離せずに第一係合部１１側で接続されたままであるため、部品数を一つとして扱うことができ、ピン固定具１と回動ピン２が別々になって紛失することを防止できる。
【００４９】
また、回動ピン２のみであると転がり易く、紛失しやすいことや、置き場に困るということもあるが、ピン固定具１とともに一体に構成されることで転がり難くなり、取扱が容易になる。
【００５０】
他方、所定の使用期間の経過後や、破損した場合などにおいては、合成樹脂製のピン固定具１と、金属製の回動ピン２を分離して個別に交換、或いは、分別処理などをすることができ、これにより、必要に応じて各部剤を再利用や廃棄することが可能となり、コスト削減や環境保護に優れた構成を実現することができる。
【００５１】
以上のように本発明を実施することができる。
即ち、図１、及び、図２（Ａ）に示すように、
飲料容器に取り付けて飲料を外部に取り出すためのディスペンスヘッド３のハンドル４の回動ピン２を、ハンドル４に対して着脱可能に固定するためのピン固定具１であって、
ハンドル４に対する自身の角度変更を規制するための規制部１１ｂを有する、ピン固定具とするものである。
【００５２】
これにより、ピン固定具１の角度変更（回転）によって生じる不具合の発生を防止できる。
【００５３】
また、図２（Ａ）〜（Ｃ）に示すように、
回動ピン２の長手方向一側に配置される第一係合部１１と、
回動ピン２の長手方向他側に配置される第二係合部１２と、を有し、
規制部１１ｂは、第一係合部１１、又は／及び、第二係合部１２に設けられ、ハンドル４の一部に係合することで回動が規制される構成とする。
【００５４】
これにより、ピン固定具の角度変更（回転）を規制する構成を実現できる。
【００５５】
また、図２（Ａ）（Ｂ）に示すように、
第一係合部１１は、
回動ピン２を挿入するための貫通孔（ピン固定部１１ａ）を有する、こととする。
【００５６】
これにより、第一係合部１１において、回動ピン２が半径方向に抜けることを防止できる。
【００５７】
また、図２（Ａ）（Ｂ）に示すように、
第二係合部１２は、
回動ピン２を挿入するための貫通孔（ピン固定部１２ａ）を有する、こととする。
【００５８】
これにより、第二係合部１２において、回動ピン２が半径方向に抜けることを防止できる。
【００５９】
また、図５（Ａ）〜（Ｄ）に示すように、
第二係合部１２の貫通孔（ピン固定部１２ａ）は、回動ピン２と係脱可能に嵌合される、こととする。
【００６０】
これにより、メンテナンス時など必要に応じて第二係合部１２から回動ピン２を外すことで、回動ピン２を抜き出してハンドル４を分離することができる。そして、メンテナンス後は再び第二係合部１２に回動ピン２を係合するで、再びロックすることができ、ピン固定具１を再利用することができる。
【００６１】
また、図４（Ａ）〜（Ｃ）に示すように、
第二係合部１２の貫通孔は、
回動ピン２の軸方向に移動して回動ピン２との係脱がなされる第一孔部１４と、
第一孔部１４から半径方向にずれた位置において、回動ピン２との係脱がなされる第二孔部１５と、
第一孔部と第二孔部の間で回動ピン２を移動させるための溝部１６と、
を有する、こととする。
【００６２】
これにより、回動ピン２の意図せぬ抜けを防止するための二段階のロック機構を実現することができる。
【００６３】
また、図２（Ａ）に示すように、
第一係合部１１と第二係合部１２を繋ぐ連結部１３を有する、こととする。
【００６４】
これにより、第一係合部１１と第二係合部１２を一物品として取り扱うことができ、取扱性に優れた構成を実現できる。
【００６５】
また、図２（Ａ）に示すように、
ピン固定具１と、回動ピン２と、を有するピン部材５として構成することとする。
【００６６】
これにより、例えば、回動ピン２のみであると転がり易く、紛失しやすいことや、置き場に困るということもあるが、ピン固定具１とともにピン部材５として一体に構成されることで転がり難くなり、取扱が容易になる。また、所定の使用期間の経過後や、破損した場合などにおいては、ピン固定具１と、回動ピン２を分離して個別に交換、或いは、分別処理などをすることができ、これにより、必要に応じて各部剤を再利用や廃棄することが可能となり、コスト削減や環境保護に優れた構成を実現することができる。
【００６７】
また、以上の説明においては、図２（Ａ）〜（Ｃ）に示すように、連結部１３により第一係合部１１と第二係合部１２が連結される構成としたが、各部位を別部材で構成し、分解可能に構成してもよい。また、連結部１３を設けずに、第一係合部１１と第二係合部１２のみで構成することとしてもよい。また、連結部１３を設ける代わりに第一係合部１１と第二係合部１２を紐などの別の部材で繋ぐこととしてもよい。また、第二係合部１２の貫通孔（ピン固定部１２ａ）において、第二孔部１５に加え、さらにもう一つ、或いは、複数の貫通孔を設けることとしてもよい、これによれば、二段階のロックに加え、三段階、さらには、四段階などの多段ロック機構を実現することもできる。
【符号の説明】
【００６８】
１    ピン固定具
２    回動ピン
３    ディスペンスヘッド
４    ハンドル
５    ピン部材
１１    第一係合部
１１ａ    ピン固定部
１１ｂ    規制部
１１ｃ    第二規制部
１２    第二係合部
１２ａ    ピン固定部
１２ｃ    第二規制部
１３    連結部
１４    第一孔部
１５    第二孔部
１６    溝部
【図１】
2018140796.tif 000003
【図２】
2018140796.tif 000004
【図３】
2018140796.tif 000005
【図４】
2018140796.tif 000006
【図５】
2018140796.tif 000007